Podtech/llm-jp-corpus-v4-ja_patent huggingface dataset:
(57)【要約】      （修正有）【課題】一度使用したマスクを衛生的に保管し、携帯にも便利なマスク保管ケースを提供する。【解決手段】マスクケースに、表生地と内側の生地に抗ウイルス加工、抗菌加工または花粉付着防止加工を施す。内側は滑りの良いナイロンやポリエステルのタフタを用いることでマスクの引っ掛かりを少なくすることによって収納が容易にすることができる。【選択図】図２
0003155669.tif 000002
【実用新案登録請求の範囲】
【請求項１】
抗ウイルス加工、抗菌加工または花粉付着防止加工のうち、少なくとも１種類以上加工した生地を、表生地または／および内側の生地に使用した携帯用マスク収納ケース。
【請求項２】
内側の生地がナイロンタフタ、ポリエステルタフタ、レーヨンであることを特徴とする請求項１記載の携帯用マスク収納ケース。
【考案の詳細な説明】
【技術分野】
【０００１】
この考案は、インフルエンザ、風邪、または花粉の飛散などで日常的にマスクを使用する場合において、飲食時や会話などで一時的に外したマスクを、清潔・簡単に収納できる携帯型のマスク収納ケースに関する。
【背景技術】
【０００２】
飲食時やマスクを掛けていたのでは失礼に当たる接客時など、外したマスクを一時的に保管をするには、ハンカチにくるんだり、そのまま折り畳んでポケットやバッグ、机の引き出しに入れたり、また、ビニール袋に入れたりしているのが現状である。特許文献１のような携帯に適したマスク保管ケースもあるが、抗ウイルス加工や抗菌加工などがされてないのでケースの中が汚染され、新しいマスクをケースに入れることによって再汚染する可能性があった。このような状況では、マスクは非衛生的な環境におかれることになる。
【先行技術文献】
【特許文献】
【０００３】
【特許文献１】実用新案登録第３０９１０５９号
【考案の概要】
【考案が解決しようとする課題】
【０００４】
飲食などで一時的に外すマスクを非衛生的な環境から守るために、携帯に便利で、抗ウイルス、抗菌、または花粉付着防止の加工をした生地を、外側だけでなく内側にも配したマスクケースであって、これによりマスクをウイルスや雑菌、花粉、ホコリなどから守り、常時ポケットやバッグに携帯し、必要時に簡単に収納できるマスクケースを提供することを課題とする。
【課題を解決するための手段】
【０００５】
本考案のマスクケースは、表生地と内側の生地に抗ウイルス加工、抗菌加工または花粉付着防止加工を施すことによって、一時的に外したマスクを衛生的に保管収納できるようにした。内側は滑りの良いナイロンやポリエステルのタフタを用いることでマスクの引っ掛かりを少なくすることによって収納が容易にすることができる。さらに、マスクケースのフタは面ファスナー等の係止手段で開閉できるようにした。
【０００６】
第１の考案は、抗ウイルス加工、抗菌加工または花粉付着防止加工のうち、少なくとも１種類以上加工した生地を、表生地または／および内側の生地にも使用した携帯用マスク収納ケースである。
【０００７】
第２の考案は、内側の生地がナイロンタフタ、ポリエステルタフタ、レーヨンのいずれか一つであることを特徴とする第１の考案の携帯用マスク収納ケースである。
【考案の効果】
【０００８】
今までマスクをはずさなくてはならないときに衛生的にマスクを保管することが難しかったが、今回このようなマスクケースを考案したことで清潔にマスクを保管・出し入れが可能になった。マスクケースの表生地と内側の生地には抗菌加工、または抗ウイルス加工、または花粉対策繊維加工が施され、マスクに付着しているウイルス、細菌、花粉、またはホコリ等がマスクからマスクケースに付着しても不活性化ないしは容易にマスクケースから脱落するので衛生的である。
【考案を実施するための形態】
【０００９】
本考案のマスクケースは、内側に滑りの良いナイロンタフタ、ポリエステルタフタ、レーヨンなどを採用することにより、スムーズにマスクを収納できることを特徴としている。表生地は、抗ウイルス加工、抗菌加工または花粉付着防止加工のうち、少なくとも１種類以上加工した生地であれば、特に限定されない。
フタは面ファスナーやボタン等の係止手段によって固定され、中のマスクが出ないようにした。
【００１０】
大きさは、バッグやポケットに入れてもかさばらないように、薄型で小型のマスクケースとし、マスクの口に当たる部分を合わせて２つ折りにして、容易に入れられる大きさがよい。
【００１１】
抗ウイルス加工とは、繊維生地に薬剤を塗布したり反応または固着させて、生地自体に接触したウイルスを不活性化させる機能を持させる加工をいう。たとえば、出願人の有する抗ウイルス加工技術「フルテクト」（登録商標）等がある。
【００１２】
抗菌加工とは、繊維生地に薬剤を塗布したり反応または固着させて、生地自体に接触した細菌を死滅させる機能を保持させる加工をいう。たとえば、出願人の有する抗菌加工技術「ノモス」（登録商標）等がある。
【００１３】
花粉付着防止加工とは、繊維生地に薬剤を塗布したり反応または固着させて、生地自体に花粉が付きにくく、付いた場合は軽く払うと、すぐに花粉が生地から脱落する機能を付与する加工をいう。たとえば、出願人の有する花粉付着防止技術「カウンターペイン」（登録商標）等がある。
【００１４】
これらの抗ウイルス加工、抗菌加工または花粉付着防止加工のうち、少なくとも１種類以上加工した生地を表生地に用い、マスクに直接触れる内側生地も抗ウイルス加工、抗菌加工または花粉付着防止加工のうち、少なくとも１種類以上加工し、かつ内側に滑りのよい生地を用いることにより、マスクの出し入れが容易となる。
【００１５】
以下、図面に基づき本考案に係る具体的な実施の形態を説明する。
【００１６】
図１は本考案に係るマスクケースの外観斜視図である。
マスクケースは携帯できて、マスクの出し入れが簡単な大きさで、マスクを二つ折りにしてスムーズに出し入れできる程度の大きさであればよい。
【００１７】
図２は本考案に係るマスクケースのフタをあけた状態での外観斜視図である。
２の表地は無地、プリント生地、ドビー柄などの織物またはニット生地である。素材は綿、レーヨン、ポリエステル、ナイロン、トリアセテートなどが用いられ、またこれらの混紡、交織でもよい。１の内側の生地は、表面が滑りやすいナイロンタフタ、ポリエステルタフタ、レーヨンなど使用することによってマスクが入れやすく、また取り出しやすくなる。
フタを本体生地に係止する係止手段３は、例えば面ファスナー、ホック、ボタン、スナップボタン、リングボタン、マグネットボタン等がある。図２は、面ファスナーを使用した場合外観斜視図である。
【図面の簡単な説明】
【００１８】
【図１】マスクケースの外観斜視図である。
【図２】マスクケースのフタを開けた外観斜視図である。
【図３】マスクケースの真ん中の縦断面図である。
【符号の説明】
【００１９】
１    内側生地
２    表面外側生地
３    面ファスナー
【図１】
0003155669.tif 000003
【図２】
0003155669.tif 000004
【図３】
0003155669.tif 000005
(57)【要約】      （修正有）【課題】布地１枚仕様仕立ての巾着形から、即座に５本指付き風に変わる湯上り用フリーサイズソックスを提供する。【解決手段】布地１枚仕様からなる巾着形の足差し入れ口にゴムテープを通し入れ、つま先は即座に５本指風に変わる仕組みの掛けゴムテープ部を甲部に設けたことを特徴とする。【選択図】図１
0003155632.tif 000002
【実用新案登録請求の範囲】
【請求項１】
布地一枚仕様裁ちからなる巾着形の足差し入れ口にゴムテープを通し入れつま先は即座に５本指付風に変わる仕組みの掛けごむテープ部を甲部に設けたことを特徴とする湯上りソックス。
【考案の詳細な説明】
【技術分野】
【０００１】  本考案は、布地１枚からなる巾着形本体において、つま先が即座に５本指付き風に変わる仕組みを設けた湯上りソックスに関するものである。
【背景技術】
【０００２】  メリヤス等のきっちりとした５本指付きのがあった。
【考案の開示】
【考案が解決しようとする課題】
【０００３】  そのために、次のような問題点があった。
湯上りは足を拭いても水分が残るので、床や畳を歩くとべたつく感じで快くない。
湯上りはバスローブやゆかたで寛ぐが、足元もゆるやかで水分を良く吸収する心地よいものがあれは良い。
本考案は、これらの問題点を解決するためになされたものである。
【課題を解決するための手段】
【０００４】  布地１枚仕様裁ちからなる巾着形本体の足差し入れ口にゴムテープを通しいれ、つま先は即座に５本指付き風に変わる仕組みの掛けゴムテープを甲部に設ける。以上を特徴とする湯あがりソックスである。
【考案の効果】
【０００５】  湯上がりにバスローブやゆかたを羽織る気軽さで、ゆったり爽やかな湯上りソックスを気軽にはけば足底もさらさらと心地よい。また、指股に掛かる布により水分もすっかり取り除くことができる。水虫のケアにもなる。着けたままスリッパを履くこともできる。
【考案を実施するための最良の形態】
【０００６】以下、本考案の実施の形態について説明する。
（イ）湯上りソックス本体（１）のつま先は縫い目なしの折山にし、甲部脇と底部脇を縫い付け部（２）により甲部（３）が設けられ、入口（４）にゴムテープを廻し入れることにより側面が浮き立ち、足差し入れ口になる。
（ロ）甲部（３）の上部に掛けゴムテープ部（７）を設けるが、力布（５）を当てその上に平ボタン（６）を付け、ゴムテープ輪（Ａ）（Ｂ）を掛ける。
本考案は、以上のような構成で、これを使用するときは、ゴムテープ入り口（４）より足を差し入れ、掛けゴムテープ輪（Ａ）を弟２指に掛け、掛けゴムテープ輪（Ｂ）を第４指に掛けながら、指股に布地を押し当てるように差し込む。４股全部に布地が挟まれば、これで５本指風ソックスに変わる。
【実施例１】
【０００７】  布地は水分の吸収が良いタオル地等で作り、成人用、子供用に分ければ、フリーサイズで使用できる。
平ボタン（６）は、下方に反る形状のもので、そこに掛けゴムテープ輪（Ａ）（Ｂ）を掛けて使用するが、長すぎる場合は、巻きつけ調整ができる。
【産業上の利用可能性】
【０００８】  一般家庭で使用するが、温泉旅行先で使用も便利。
【図面の簡単な説明】
【０００９】
【図１】本考案の平面図
【図２】本考案の使用図
【符号の説明】
【０００９】１  本体
２  甲部脇と底部脇の縫い付け部
３  甲部
４  入り口
５  力布
６  平ボタン
７  掛けゴムテープ部
８  ゴムテープ輪ＡとＢ
【図１】
0003155632.tif 000003
【図２】
0003155632.tif 000004
(57)【要約】      （修正有）【課題】簡単かつ短時間に下部インサート金型を交換し得るようにした鍛造用インサート金型の母型を提供する。【解決手段】母型を、鍛造機械に固定した状態にて、インサート金型を交換できる様に、下部母型のインサート金型嵌合部前後に溝１５を設け、その溝１５よりインサート金型に設けてある吊穴１６に、吊金具を差し込み、フオークリフトにて吊上げ、母型より取り外す。【選択図】図４
0003155637.tif 000002
【実用新案登録請求の範囲】
【請求項１】
鍛造機アンビル部にインサート金型用の母型を固定すると共に、ラム部にインサート金型用の母型を固定し、前記双方の母型に夫々円筒形インサート金型を嵌着保持すべくなした鍛造金型において、アンビル部に固定する母型のインサート金型嵌合部の円周の前後に、インサート金型に設けられている吊穴を覗ける巾と深さを要し、かつ吊穴に差し込む吊金具が装入可能とする長さの溝を設けたことを特徴とする、鍛造用インサート金型の母型。
【考案の詳細な説明】
【技術分野】
【０００１】  本考案は、鍛造用の円筒形インサート金型に使用される母型の構造を一部改造することにより、インサート金型の交換を敏速に行う事が出来るようにした。
【背景技術】
【０００２】  第１図は、型打鍛造機の金型取り付け部分と、一般的なインサート金型の取り付けを示した正面図である。  第２図は、そのアンビル部に固定された下部母型の平面図を示す。  第１図に示すように、アンビル部１に下部母型３、ラム部２に上部母型４をそれぞれアリ嵌めされ、テーパー矢５，６を打ち込むことにより固定される。インサート金型７，８は各母型３，４の嵌合部に嵌めこみ，各テーパー矢９，１０を打ち込み型締めして鍛造作業を行う。  第３図は、下部母型３のインサート金型７の交換を容易にするため、以前改良された下部母型を示す。  下部母型は、インサート金型の嵌合部の円筒形を縦に２分割、半円形凹型１１を成形し、，同じく半円形凹型を成形せしめた型締め駒１２によりインサート金型７を挟み、テーパー矢１３を打ち込み、型締め固定する方法が行はれている。
【先行技術文献】
【特許文献】
【０００３】
【特許文献１】  実公昭５５−５３２２５（ＪＰ．Ｙ２）
【非特許文献】
【０００４】  鍛造ハンドブック編集委員会編「鍛造ハンドブック」日刊工業新聞社（昭４６−３−３０）Ｐ．４７９
【考案の概要】
【考案が解決しようとする課題】
【０００５】  継続して別のインサート金型を交換して作業する場合，第１図に示す母型においては、上部母型４のインサート金型８は、テーパー矢１０を外すと自重にて落下し、上部母型４より分離できる。  しかし、下部母型３のインサート金型７の交換においては、先ずインサート金型７を固定してあるテーパー矢９を引き抜く。  更にアンビル部１に固定している下部母型３のテーパー矢５を引き抜き、アンビル部１より下部母型３を取り外す。次いで下部母型３をアンビル部１より移動させ、下部母型３の底部から貫通させた孔１５より鉄棒を装入してインサート金型７を突き出し分離させる。  以上のごとく、第１図における下部母型３のインサート金型７の交換は，多くの手数と時間を必要とする。
第３図に示す以前改良された下部母型のインサート金型の交換は、母型はアンビル部１に固定されたままで良いが、テーパー矢１３と型締め駒１２を下部母型より取り外し、インサート金型７を分離する。  交換の時間は、第２図の母型より短時間で行えるが、構造が複雑のため母型が大きくなり，金型の費用も高額になる
【課題を解決するための手段】
【０００６】  本考案は、前記の如き従来技術のもつ欠点を除去し、簡単かつ短時間に下部インサート金型を交換し得るようにしたもので，一実施例を第４図について説明する。
本考案は、第４図に示すように、下部母型３のインサート金型７の嵌合部の円径中心に向かって下部母型３本体の前後に溝１５を設ける。  インサート金型７，８には、従来より金型の取り扱い上，吊穴１６が金型側面の前後に設けてあり、下部母型３に設ける溝１５は、そのインサート金型７の吊穴１６が覗く範囲の巾と深さ及び、吊金具が装入できる長さとする。  インサート金型７の取り外しは、母型をアンビルに固定したままテーパー矢９を引き抜き、次いで下部母型３に設けた溝１５より、吊金具をインサート金型７の吊穴１６に差し込んで、フォークリフトにより引き上げる。
【考案の効果】
【０００７】  本考案は、以上の様に下部インサート金型の着脱がいたって簡単に行え、改良を図った第３図に示した母型より、きわめて容易にかつ迅速にインサート金型の交換ができる。
更に、本考案は、インサート金型の取り外しだけではなく，別のインサート金型の交換装着には、嵌合の底まで吊下げて行はれるので，安全かつ敏速に行うことが出来る。
【図面の簡単な説明】
【０００８】
【図１】  従来の母型とインサート金型を取り付けた型打鍛造機の一部正面図。
【図２】  従来の下部母型にインサート金型を取り付けた平面図。
【図３】  以前改良の下部母型に、インサート金型を取り付けた平面図及び正面図
【図４】  本考案の実施例を示す下部母型に、インサート金型を取り付けた平面図及び正面図。
【考案を実施するための形態】
【０００９】  アンビル部１に固定する下部母型３のインサート金型嵌合部の円周前後に溝を設け、その溝より吊金具を装入、インサート金型７を吊上げる。  溝１５は、インサート金型７に設けられている吊穴１６が覗く巾と深さを要し，かつ吊穴１６に差し込む吊金具が装入可能な長さとする。  その溝１５からインサート金型７の吊穴１６に吊金具を差し込み、フォークリフトにて吊上げ、インサート金型７を下部母型３より取り外す。
【産業上の利用可能性】
【００１０】  インサート金型を使用する鍛造金型において、下部インサート金型の交換が迅速に出来ることは，多種小量生産用の鍛造金型として、誠に有益である。  叉，本考案は、現在も広く使用されている第２図に示す下部母型に，一部溝の追加工をするだけで済むので大変経済的である。
【符号の説明】
【００１１】      １…アンビル            ２…ラム                  ３…下部母型
４…上部母型        ５．６…テーパー矢        ７．８…インサート金型
９．１０…テーパー矢        １１…半円形凹型          １２…型締め駒
１３…テーパー矢        １４…貫通した孔          １５…溝
１６…吊穴        １７．１８…製品彫刻
【図１】
0003155637.tif 000003
【図２】
0003155637.tif 000004
【図３】
0003155637.tif 000005
【図４】
0003155637.tif 000006
(57)【要約】      （修正有）【課題】円柱形、若しくは、それに類似した形状ではないものにオルゴールを付加させた骨壺を提供する。【解決手段】骨壺本体１の形を上下に分け、上部を骨壺５、下部をオルゴール装置７にして構成する。オルゴール本体７の接続ネジ９を外せるようにして、オルゴール装置を変え曲の変更もできるように構成しても良い。使用に当たっては、骨壺本体１の蓋２の取っ手３を持ち、骨壺内部５に焼骨を入れ、骨壺底部６に骨を納め、死者を供養する。この時にオルゴール本体７のオルゴール巻きネジ８を回すことで演奏が始まり、より供養効果が得られるようにできる。【選択図】図１
0003155639.tif 000002
【実用新案登録請求の範囲】
【請求項１】
骨壺内部を上下に分け、上部に焼骨、下部にオルゴールを装置させた事を特徴とする骨壺。
【請求項２】
前記骨壺に、母体の形を取り入れ、外部の底に巻きネジを取り付けた請求項１記載の骨壺。
【考案の詳細な説明】
【技術分野】
【０００１】  本考案は、オルゴールを装置した骨壺に関するものである。
【背景技術】
【０００２】  従来より、死者を火葬したのち焼骨のみを納める容器が一般的である。
【先行技術文献】
【非特許文献】
【０００３】
【非特許文献１】  小林公成著、お付き合い上手のために今どきの冠婚葬祭、株式会社世界文化社出版。２００３年４月，Ｐ．２８９−２９０
【０００４】
【非特許文献２】  江戸屋壺店著、骨壺の美〜ふるさとの土にかえる〜六角印刷株式会社出版、１９９４年７月１日，Ｐ．３−７，Ｐ．４５−４７，Ｐ．５６−６１
【０００５】
【非特許文献３】  上野矗著、「涙に関する臨床心理学的研究（１）〜そのコンセプトにかかわって」、大阪樟院女子大学学術研究会人間科学研究紀要出版、２００４年，Ｐ．４９−５４
【０００６】
【非特許文献４】  上野矗著、「涙に関する臨床心理学的研究（２）〜涙が援助的理解関係にとってもつ意味と効用」、大阪樟院女子大学学術研究会人間科学研究紀要出版、２００５年，Ｐ．６３−７３
【考案の概要】
【考案が解決しようとする課題】
【０００７】  従来より骨壺は、焼骨のみを納め入れる容器である。これにオルゴールを付加させた事により、この点の、選択を広げ解決しようとしたものである。【０００８】  一般的には円柱形、若しくは、それに類似した形状である。この為、選択の範囲が狭く、その問題点を解決しようとしたものである。
【課題を解決する為の手段】
【０００９】  以上のような課題を解決するために、本考案は以下のものを提供する。
【００１０】  本考案は骨壺本体の下部にオルゴールを装置した事により、死者をより心情的に供養できる。
【００１１】  又、本考案は死者を母に還す発想の基、母体という従来に全くない形にこだわった。
【考案の効果】
【００１２】  本考案によれば、請求項１の骨壺は、今までにない音響効果を取り入れた。
【００１３】  この為、故人及び遺族を、より慰め、癒し、時に涙する。その効果は、従来の骨壺にない、新規性を高めた。
【００１４】  又、請求項２の考案において、母体は、母親または生命を感じやすくさせた形である為、永遠に絆を繋ぐ事ができ、いつでも供養できる。
【００１５】  更に、本考案は、分骨骨壺としては、最も適し役立つ。
【図面の簡単な説明】
【００１６】
【図１】  本考案の一実施形態のオルゴール装置付骨壺の側面断面図である。
【図２】  図１の組立明細図である。
【図３】  斜視図である。
【考案を実施するための形態】
【００１７】  本考案における好適な実施の形態について、添付図面を参照して説明する。
【実施例】
【００１８】  図１の骨壺本体１の蓋２の取っ手３を持ち、骨壺内部５に焼骨を入れ、骨壺底部６に骨が納められ、死者を供養する事ができる。【００１９】  この時にオルゴール本体７のオルゴール巻きネジ８を回すことで演奏が始まり、より供養効果が得られるように工夫した。【００２０】  また、図２のオルゴール本体７の接続ネジ９を外せるようにしたことにより、オルゴール装置を変え曲の変更もできる。【００２１】  図３の骨壺本体１は、ガラスまたは、陶器、その他の適宣素材で形成されている。【００２２】  この外観は、母体を表した形である。
【産業上の利用可能性】
【００２３】  本考案は、骨壺にオルゴールを装置したことにより、死者への思い入れがより深まるものである。これらの事により従来にはない魅力的な商品を提供することができる。
【符号の説明】
【００２４】１    骨壺本体
２    蓋
３    取っ手
４    蓋止め
５    骨壺内部
６    骨壺底部
７    オルゴール本体
８    オルゴール巻きネジ
９    接続ネジ
１０  オルゴールカバー
１１  カバー付ネジ溝
【図１】
0003155639.tif 000003
【図２】
0003155639.tif 000004
【図３】
0003155639.tif 000005
(57)【要約】      （修正有）【課題】テーブルの脚部に手荷物収納スペースを設け、飲食店での手荷物等貴重品の入ったバックを置くスペースを確保し、なおかつ脚が入るスペースも確保し安心してゆっくり食事がとれるようにした手荷物収納付テーブルを提供する。【解決手段】天板１と、脚柱２、脚部支持部材３、脚座４にて構成する脚部が天板支持部材５により接合され、脚部の中間に手荷物を置くための底板８、底板より上方に手荷物の落下防止のための側板６が脚部に接合している。これにより、手荷物を置くスペースを確保し、尚かつ２本の脚柱と脚座の接合点は上方に向けて９０°より外側に広い角度を成しているため、座った際に脚を入れる充分なスペースも確保している。【選択図】図１
0003155635.tif 000002
【実用新案登録請求の範囲】
【請求項１】
２組の、一本の脚座と接合する２本の脚柱からなるテーブルで、その脚柱と脚座の接合点は上方に向かって外側に９０°より広い角度がとられ、脚部の最下部から上方に全体の高さの１／３くらいの位置に底板を設け、底板より上方に落下防止のための側板を両側面に有し、手荷物を置くスペースを設けた手荷物収納付きテーブル。
【考案の詳細な説明】
【技術分野】
【０００１】  本考案は手荷物収納スペースを付加したテーブルに関するものである。
【背景技術】
【０００２】  先行技術の荷物かけフック付きテーブルはフックに手荷物を引っ掛けるだけのため手荷物がぶらぶらと安定せず、落ち着いて食事ができない。尚かつ手提げ部分が付いていない手荷物には対応できず、手提げ部分を引っ掛けて使用するため手提げ部分を傷つけてしまう可能も考えられる。
【先行技術文献】
【特許文献】
【０００３】
【特許文献１】特開２００３−１８０４５５号  公報
【考案の概要】
【考案が解決しようとする課題】
【０００４】  クロークのない飲食店において手荷物等貴重品の入ったバックの置き場所に困り、隣の席に置いたり、椅子の背に置く等、窮屈な思いをすることが多い。手荷物の収納スペースをテーブルに付加することで、手荷物の置き場所を確保しつつ、安心してゆっくり食事がとれるようにするものであり、尚かつその手荷物をきずつけないようにするものである。また、ゆったりくつろげるような脚を入れるスペースも確保する。
【課題を解決するための手段】
【０００５】  本考案は、収納スペースをテーブル脚部に付加し、またその形状は、座った際に脚を入れるスペースを確保するため上方に向けて外側に広い角度を成している。尚かつその収納スペースの落下防止のための側板は荷物を差し入れる部分がテーパーがとられているため荷物を傷つけない考慮もされている。
【考案の効果】
【０００６】  本考案は、飲食店において、お客側にとっては、手荷物を傷つけずに置く場所があり、脚を入れるスペースも確保しているので、ゆっくり食事をすることができ、またお店側にとっては特別なクロークのスペースを設けたり、手荷物スタンドを用意する必要がなくり、客席スペースにゆとりを持たせ、快適な環境の提供とサービスがしやすい導線の確保を可能にさせるものである。
【図面の簡単な説明】
【０００７】
【図１】本テーブルの実施例を示す右側面図である。
【図２】本テーブルの正面図及び背面図である。
【図３】本テーブルの右側面図及び左側面図である。
【図４】本テーブルの平面図である。
【図５】本テーブルの底面図である。
【図６】本テーブルのＡ−Ａ′断面図である。
【図７】本テーブルの落下防止のための側板の拡大斜視図である。
【考案を実施するための形態】
【０００８】  以下に本考案の実施形態を図面と共に説明する。
本考案のテーブルの脚部は２組あり、２本の断面正方形の管状の金属部材の脚柱２と同様な断面正方形の管状の金属部材である脚柱支持部材３と脚座４から構成されている。人が座った時に脚が入り易くするために、脚座４の長手の寸法は脚座４の長手と平行する天板１の寸法より短く、それに接合する２本の脚柱は脚座４の長手方向の両端から内側に入った位置で接合されている。また大きな荷物も収納できるスペースを確保し、天板１を支持しうる脚部を形成するために、脚座４と２本の脚柱２の接合点は上方に向かって９０°より外側に広い８３°を成している。天板１の裏面に対し、２本の断面正方形の管状の金属部材である天板支持部材５の長手は脚座４の長手に垂直に２本接合している。２本の天板支持部材５の両端に２組の脚部が接合されており、脚柱２の長手の長さの１／２程の位置に手荷物の落下防止のための側板６を取付けるための断面が長方形の金属の棒状の接合部材がそれぞれ１本ずつ接合されており、手荷物の落下防止のための側板の欠込み７がその接合部材に嵌られている。手荷物を、手荷物を置くための底板８に置く際に、手荷物の差し入れ口となる手荷物の落下防止のための側板６は、スムーズに、尚かつ手荷物を傷つけないように、手荷物の落下防止のための側板のテーパー１１のような形状を成している。脚柱２の長手の寸法の下部から１／３程の位置に、２本の断面が長方形の金属の棒状の底板を脚部に固定するための部材９が脚柱２に垂直に接合されており、その底板を脚部に固定するための部材９の上部に手荷物を置くための底板８が接合している。２本の脚座４にそれぞれ２個のアジャスター１０が取付けられている。
【実施例】
【０００９】  以下添付図面に従って一実施例を説明する。天板１と、脚柱２、脚部支持部材３、脚座４にて構成する脚部が天板支持部材５により接合され、脚部の中間に手荷物を置くための底板８、底板より上方に手荷物の落下防止のための側板６が脚部に接合している。【００１０】  図１に示すようように２名が向かい合って座る際、それぞれの手荷物を手荷物落下防止のための側板より差し入れ、手荷物を置くための底板に置くことができる。
【符号の説明】
【００１１】１  天板
２  脚柱
３  脚柱支持部材
４  脚座
５  天板支持部材
６  手荷物の落下防止のための側板
７  手荷物の落下防止のための側板の欠込み部
８  手荷物を置くための底板
９  底板を脚部に固定するための部材
１０  アジャスター
１１  手荷物の落下防止のための側板のテーパー
【図１】
0003155635.tif 000003
【図２】
0003155635.tif 000004
【図３】
0003155635.tif 000005
【図４】
0003155635.tif 000006
【図５】
0003155635.tif 000007
【図６】
0003155635.tif 000008
【図７】
0003155635.tif 000009
(57)【要約】      （修正有）【課題】洗剤注入具により、簡単・容易に洗剤をブラシに付着させ洗浄作業を行うことができると共に、空気押圧部により手元で洗剤をコントロールできる洗剤注入具付ブラシを提供する。【解決手段】ブラシ本体のブラシ取付部に洗剤を注入してなる洗剤注入具を設けてなることを特徴とする洗剤注入具付ブラシ。ブラシ取付部を中空体とし、下面にブラシに洗剤が付着すべく孔を穿設すると共に、洗剤注入具が、洗剤を入れる容器と蓋と空気押圧体とからなる。蓋に逆止弁を設ける。ブラシ本体のハンドル部に、容器内の洗剤を放出すべく空気押圧部を設ける。【選択図】図１
0003155640.tif 000002
【実用新案登録請求の範囲】
【請求項１】
ブラシ本体のブラシ取付部に洗剤を注入してなる洗剤注入具を設けてなることを特徴とする洗剤注入具付ブラシ。
【請求項２】
少なくともブラシ取付部を中空体とし、下面にブラシに洗剤が付着すべく孔を穿設すると共に、洗剤注入具が、洗剤を入れる容器と蓋と空気押圧体とからなることを特徴とする請求項１記載の洗剤注入具付ブラシ。
【請求項３】
蓋に逆止弁を設けてなることを特徴とする請求項２記載の洗剤注入具付ブラシ。
【請求項４】
ブラシ本体のハンドル部に、容器内の洗剤を放出すべく空気押圧部を設けてなることを特徴とする請求項２又は３記載の洗剤注入具付ブラシ。
【考案の詳細な説明】
【技術分野】
【０００１】  本発明は、主に車等を洗車する場合に使用する洗剤注入具付ブラシに関するものである。
【背景技術】
【０００２】  従来の技術として、圧縮ガスにより予圧された液体を入れる液体タンク部と、ブラシ部とを備えているブラシ付き容器であって、前記ブラシ部における植毛部あるいは前記植毛部の周辺に液体吐出孔を設け、この液体吐出孔と液体タンク内とを液体流動路で連通させたことを特徴とする洗浄ブラシ付き容器がある。（特許文献１参照）
【先行技術文献】
【特許文献】
【０００３】
【特許文献１】  特開平１０−３３２６４号  公報
【考案の概要】
【考案が解決しようとする課題】
【０００４】  上記従来技術は、構造的にも、コスト的にも高くつくもので、簡易的なものが求められている。【０００５】  本考案は、上記の問題点を解決しようとするもので、洗剤注入具により、簡単・容易に洗剤をブラシに付着させ洗浄作業を行うことができると共に、空気押圧部により手元で洗剤をコントロールできる洗剤注入具付ブラシを提案することを目的とするものである。
【課題を解決するための手段】
【０００６】  本考案は、上記目的を達成するため、ブラシ本体のブラシ取付部に洗剤を注入してなる洗剤注入具を設けてなる。少なくともブラシ取付部を中空体とし、下面にブラシに洗剤が付着すべく孔を穿設すると共に、洗剤注入具が、洗剤を入れる容器と蓋と空気押圧体とからなる。蓋に逆止弁を設けてなる。ブラシ本体のハンドル部に、容器内の洗剤を放出すべく空気押圧部を設けてなる。
【考案の条件】
【０００７】１）、洗剤注入具により、簡単・容易に洗剤をブラシに付着させて、作業を行うことができる。
２）、洗剤注入具が、容器と蓋と空気押圧体とにより構成されることにより、各パーツの交換が容易で効率的である。
３）、逆止弁により逆流することなく、洗剤を最後まで使用できるものである。
４）、空気押圧部により手元でも洗剤を必要量流出させることができるものである。
【図面の簡単な説明】
【０００８】
【図１】  本考案の第１実施例の洗剤注入具付ブラシの部品の構成を表した正面図。
【図２】  本考案の第１実施例の洗剤注入具付ブラシの一部縦断正面図。
【図３】  本考案の第１実施例の洗剤注入具付ブラシの平面図。
【図４】  本考案の第２実施例の洗剤注入具付ブラシの部品の構成を表した正面図。
【図５】  本考案の第２実施例の洗剤注入具付ブラシの一部縦断正面図。
【図６】  本考案の第２実施例の洗剤注入具付ブラシの平面図。
【考案を実施するための形態】
【０００９】第１実施例の洗剤注入具について説明する。
１は、洗剤注入具付ブラシである。
２は、ブラシ本体で、洗剤流出する孔２ａ１を穿設したブラシ取付部２ａとハンドル部２ｂとにより構成されると共に、中空体２ｃに形成してある。
３は、ブラシ取付部２ａの上面に設けてなる洗剤注入具で、洗剤を入れる容器３ａと蓋３ｂと空気押圧体３ｃとから構成される。
容器３ａは、内部に洗剤Ｓを入れ、下面に流出孔３ａ１を穿設してある。
蓋３ｂは、下面に逆止弁３ｂ１を設け、容器３ａ内に空気を送り込む機能を設けてある。
空気押圧体３ｃは、上下作動可能にジャバラ状に形成してなるもので、空気を適当な圧力にて送り込むことができる。
４は、ブラシ取付部２ａの下面に設けてなるブラシである。
【００１０】  上記洗剤注入具付ブラシ１の使用例について述べる。
まず、ハンドル部２ｂの後端にホースＨを圧入して取り付ける。
この状態で、水Ｍを流すことによりブラシ本体２内を通って孔２ａ１より水Ｍ１が流出し、車（図示せず）等の洗浄を行う。
洗剤Ｓが必要になった時点で空気押圧体３ｃを押すことにより蓋３ｂの逆止弁３ｂ１が開き、空気Ｋが容器３ａ内の洗剤Ｓが押圧され流出孔３ａ１より流出させることにより、水Ｍ１と適当に混合し、汚れを取り除くことができる。
【００１１】  また、水Ｍを止めて、空気押圧体３ｃを押して洗剤Ｓを流出させて使用することもできる。
【００１２】  次に、第２実施例の洗剤注入具付ブラシ２１について説明する。
この洗剤注入具付ブラシ２１は、上記第１実施例の洗剤注入具付ブラシ１の構造に加え、５は、ハンドル部２ｂの上面に設けた空気押圧部で、押ボタン５ａを押すことにより逆止弁５ｂ１を設けた空気留５ｂ内の空気がパイプ５ｃを通って容器３ａ内に空気を送り込むことができ、同様に洗剤Ｓを流出させることができるものである。
【００１３】  この洗剤注入具付ブラシ２１は、押ボタン５ａを押すことにより、空気留５ｂの逆止弁５ｂ１が開き、空気Ｋ１がパイプ５ｃを通って容器３ａ内に入り、同様に洗剤Ｓを流出させることができるものである。
【００１４】  上記各実施例において、各部位の大きさや材質は特に限定するものではない。
また、洗剤注入具のみの形態でもよく、空気押圧部を付加した形態でもよく、使用目的等に応じて選定すればよい。
【符号の説明】
【００１５】１−−−−−洗剤注入具付ブラシ
２−−−−−ブラシ本体
２ａ１−−−孔
２ａ−−−−ブラシ取付部
２ｂ−−−−ハンドル部
２ｃ−−−−中空体
３−−−−−洗剤注入具
３ａ−−−−容器
３ｂ−−−−蓋
３ｃ−−−−空気押圧体
Ｓ−−−−−洗剤
３ａ１−−−流出孔
３ｂ１−−−逆止弁
４−−−−−ブラシ
５−−−−−空気押圧部
５ａ−−−−押ボタン
５ｂ１−−−逆止弁
５ｂ−−−−空気留
５ｃ−−−−パイプ
Ｈ−−−−−ホース
Ｍ−−−−−水
Ｍ１−−−−水
Ｋ−−−−−空気
２１−−−−洗剤注入具付ブラシ
Ｋ１−−−−空気
【図１】
0003155640.tif 000003
【図２】
0003155640.tif 000004
【図３】
0003155640.tif 000005
【図４】
0003155640.tif 000006
【図５】
0003155640.tif 000007
【図６】
0003155640.tif 000008
(57)【要約】      （修正有）【課題】ピンセットで把持作業をする際に、ピンセットの先端周辺部に付着した被把持物又はその一部を容易に除去することができるピンセットを提供する。【解決手段】ピンセットの全体、又は一部にフッ素樹脂表面被覆Ｂを施し、作業中に付着した被把持物又はその一部を、簡単に除去することを可能とし、作業効率を著しく高め、強力な除去剤を使用しないことで、ピンセットの素材を傷めることを防ぎ、且つ人体にも安全に作業することを可能とした。【選択図】図１
0003155628.tif 000002
【実用新案登録請求の範囲】
【請求項１】
把持作業に用いる部位にフッ素樹脂を含む塗料を用いて表面被覆加工を施したピンセットであって、使用する塗料の成分は、ＰＴＦＥ、ＰＦＡ、ＦＥＰの単独か混合フッ素樹脂が１０〜８０％の範囲にあり、ポリアミドイミド、ポリイミド、ポリエーテルサルホン、エポキシの単独か混合有機バインダー樹脂が１０〜８０％の範囲にあり、酸化チタン、カーボン、クロム酸、酸化鉄の単独か混合顔料が５〜３０％の範囲にあり、３者合わせて１００％になるように配合されていることを特徴とする塗料を用いて表面被覆加工を施した表面被覆ピンセット。
【請求項２】
請求項１で説明したフッ素樹脂表面被覆ピンセットであって、被覆膜厚は５〜３０μの範囲にあり、硬度はＦ〜３Ｈの範囲にあることを特徴とするピンセット。
【請求項３】
請求項１で説明したフッ素樹脂表面被覆ピンセットであって、被覆部位はピンセットの全体又は部分であることを特徴とするピンセット。
【請求項４】
請求項１で説明したフッ素樹脂表面被覆ピンセットであって、表面色が黒、グレー、緑、茶、白、青、ベージュ、ゴールド、の単独色又は組み合わせた色であることを特徴とするピンセット。
【考案の詳細な説明】
【技術分野】
【０００１】  本考案は、ピンセットを用いて行う作業の能率を高めるためのものであり、ピンセットの所要表面部位にフッ素樹脂表面被覆を施すことにより、当該ピンセットに付着した被把持物又はその一部を除去剤を使用せずに簡単に除去することができるよう考案したピンセットである。
【背景技術】
【０００２】  従来は、ピンセットを用いて把持作業をする際に、ピンセットの先端周辺部に被把持物又はその一部が付着し、その除去作業に多くの無駄時間がかかっており、加えて、除去剤として比較的強力な成分を含んだ化学薬剤を使用する場合があり、人体やピンセットの素材に悪影響を及ぼす恐れがあった。本考案は、かかる状況を改善するためのものであり、効率的且つ安全な作業を可能にしたものである。
【考案の開示】
【考案が解決しようとする課題】
【０００３】  従来は、ピンセットで把持作業をする際に、ピンセットの先端周辺部に被把持物又はその一部が付着する場合があり、付着物の除去作業のために多くの無駄時間がかかっており、加えて、除去剤として比較的強力な成分を含んだ化学薬剤を使用する場合があり、人体やピンセットの素材に悪影響を及ぼす恐れがあった。
【課題を解決するための手段】
【０００４】  ピンセットの所要表面部位にフッ素樹脂を中心成分とする塗料を用いて被覆を施し、作業中に付着した被把持物又はその一部を簡単に除去することを可能とし、作業効率を著しく高め、強力な化学薬剤を含む除去剤を使用しないことで、ピンセットの素材を傷めることを防ぎ、且つ人体にも安全に作業することを可能とした。
【考案の効果】
【０００５】  エクステンション睫毛の取り付け作業に本考案のフッ素樹脂表面被覆ピンセットを用いる場合、作業中に、ピンセットの先端周辺部に付着した接着剤又はその一部を除去することが容易になり、作業時間を１／２以下に短縮した。【０００６】  作業中に、ピンセットの先端周辺部に付着した被把持物又はその一部を除去する際に、強力な除去剤の使用が不要になり、ピンセットの素材を傷めることがなくなり、人体にも安全な作業を可能にした。【０００７】  従来、ピンセットの先端周辺部に付着した被把持物又はその一部を除去する際に、過大な力が作用し、ピンセットの形状不整を招き、ピンセット先端の把持機能が低下し、半年毎に使い捨てていたものが、フッ素樹脂表面被覆により２倍以上長持ちする結果となり、資源の節約、ひいては、環境改善にも貢献することとなった。
【考案を実施するための最良の形態】
【０００８】  本考案によるフッ素樹脂表面被覆ピンセットの考え方、および、表面被覆加工は、あらゆるピンセットに適用可能であり、ピンセットの素材・寸法・形状は問わない。
【実施例】
【０００９】  エクステンション睫毛の取り付け作業に本考案のフッ素樹脂表面被覆ピンセットを用いる場合、作業中に、ピンセットの先端に付着した接着剤又はその一部が容易に除去できる。
【産業上の利用可能性】
【００１０】  本考案のフッ素樹脂表面被覆ピンセットは、ピンセットの先端に付着しやすい被把持物を扱う作業者の全てに必要・有用である。現在全国でピンセット作業者が約３０，０００人おり、平均して一人当たり４本のピンセットを使用しているものとすると、約１２０，０００本以上のフッ素樹脂表面被覆ピンセットが必要となる。中国・韓国・米国など世界各国にも輸出する場合、当面、約３６０，０００本以上のフッ素樹脂表面被覆ピンセットが必要になると予想している。
【図面の簡単な説明】
【００１１】
【図１】  本考案のフッ素樹脂表面被覆ピンセットを斜め上方から見た立体図である。
【図２】  本考案のフッ素樹脂表面被覆ピンセットを上方から見た図である。
【図３】  本考案のフッ素樹脂表面被覆ピンセットを横から見た図である。
【符号の説明】
【００１２】  Ａ．フッ素樹脂による表面被覆加工を施したピンセットの構造を表示するために、図面上で入れた切断面。
Ｂ．フッ素樹脂による表面被覆加工を施した部分。
Ｃ．フッ素樹脂による表面被覆加工の被覆膜厚は、５〜３０μの範囲にある。
【図１】
0003155628.tif 000003
【図２】
0003155628.tif 000004
【図３】
0003155628.tif 000005
(57)【要約】      （修正有）【課題】コンクリート構造物に使用する型枠を一定間隔にする間隔保持杆であって、特にコンクリート内部の鉄筋の錆による腐蝕するのを防止するためのコンクリート型枠用間隔保持杆を提供する。【解決手段】コンクリート型枠を支持する保持杆本体１は、中央の間隔部２と両端の螺子部４、４とを一体的に構成され、該間隔部２と両端の該螺子部４、４の外周に対して防錆剤としてシリコン系樹脂塗料をスプレー塗装、どぶ漬け塗装またはカチオン電着塗装を以ってシリコン系樹脂の被覆層３を被着してコンクリート型枠用間隔保持杆を構成する。【選択図】図３
0003155622.tif 000002
【実用新案登録請求の範囲】
【請求項１】
コンクリート型枠を支持する保持杆本体（１）は、中央の間隔部（２）と両端の螺子部（４）（４）とを一体的に構成され、該間隔部（２）と両端の該螺子部（４）（４）の外周に対して防錆剤としてシリコン系樹脂塗料をスプレー塗装、どぶ漬け塗装またはカチオン電着塗装を以ってシリコン系樹脂の被覆層（３）を被着したことを特徴とするコンクリート型枠用間隔保持杆。
【請求項２】
請求項１の保持杆本体（１）の間隔部（２）と両端の螺子部（４）（４）との外周に防錆剤としてエポキシ樹脂塗料またはフッ素樹脂塗料をスプレー塗装、どぶ漬け塗装またはカチオン電着塗装を以って被覆層（３）を被着したことを特徴とする請求項１のコンクリート型枠用間隔保持杆。
【考案の詳細な説明】
【技術分野】
【０００１】  本考案は、コンクリート構造物を構築する時に型枠を一定間隔に固定するセパレータと云われているコンクリート型枠用間隔保持杆に関するものである。
【背景技術】
【０００２】  従来、この種のコンクリート型枠用間隔保持杆によって壁体等の構造物を構築する際には、鉄製の丸セパレータ及びＰコーンとを以って型枠を固定支持して所定間隔に保持することが一般に実施されている。
然し、これ等の間隔保持杆は、両端の螺子部分が腐蝕しても構造物に対し直接影響は無いものと思われるが、内部の間隔保持杆を介在して直接内部の鉄筋部分まで順次腐蝕する等の問題点があった。
【先行技術文献】
【実用文献】
【０００３】
【実用文献１】
実用新案登録第３１２８６７０号
【考案の概要】
【考案が解決しようとする課題】
【０００４】  従来に使用されている文献によるコンクリート型枠用鉄製セパレータによれば、粉体塗装により被覆し、且つ粉体塗装の材料としてポリエチレン樹脂を使用したものが知られている。
上記した従来から実施されている防腐方法の塗装方法では、表面の硬度が不足すると共に、表面が薄肉のため損傷や磨耗による傷が原因となって金属表面と空気との遮蔽機能が劣化して、風化及び外損傷等による腐蝕が発生し、長期間の耐錆及び耐蝕を防止するのが不可能である問題点があった。
そこで、本考案は、上記の問題点を解決するものであり、その主たる目的とする所は、保持杆本体の両端の螺子部よりも奥の間隔部をシリコン系樹脂塗料の塗装によって内部の鉄筋を保護し、腐蝕の防止を実現するコンクリート型枠用間隔保持杆を提供するものである。
【課題を解決するための手段】
【０００５】  上記目的を達成するために、本考案におけるコンクリート型枠用間隔保持杆によれば、保持杆本体には、中央の間隔部と、両端に位置する螺子部とを有し、該間隔部と該螺子部との外周に防錆剤のシリコン系樹脂塗料をスプレー塗装、どぶ漬け塗装またはカチオン電着塗装によってシリコン系樹脂の被覆層を適宜の厚さに被着する。
また同様な目的で、該保持杆本体の間隔部と両端の螺子部との外周に、エポキシ樹脂塗料またはフッ素樹脂塗料を防錆剤としてスプレー塗装、どぶ漬け塗装またはカチオン電着塗装によって被覆層を被着形成するものである。
【考案の効果】
【０００６】  本考案のコンクリート型枠用間隔保持杆によれば、従来普通に使用されているフッ素樹脂塗料の如く、表面が薄肉となるために硬度が不足し、磨耗と損傷のためから錆で腐蝕するのを完全に防止する効果がある。
そして、本考案の保持杆本体の外周に被覆したシリコン系樹脂塗料は、厚肉となるため強度が著しく向上し耐侯性に充分対応できると共に、鉄筋の錆による腐蝕を完全に防止する効果がある。且つ、色彩と厚さを自由に選定できる優れた効果もある。
【図面の簡単な説明】
【０００７】
【図１】  本考案の保持杆本体の全体の斜面図である。
【図２】  同じく本考案の図１のＡ−Ａ線の縦断側面図である。
【図３】  本考案を使用した構築方法を説明する全体の斜面図である。
【考案を実施するための形態】
【０００８】  本考案の保持杆本体は、上記の如く構成されているので、コンクリート型枠を取り外した後にコンクリート内部に配設されている縦横の鉄筋に対し、従来の鉄製の間隔保持杆による錆による腐蝕を完全に防止し、構造物の長期の信頼度を向上することができる。
【実施例】
【０００９】  実施例について図面を参照して説明すると、図１において、一般に丸セパレータと呼ばれるコンクリート型枠を支持する保持杆本体（１）は、中央の間隔部（２）と両端の螺子部（４）（４）を金属製で構成される。
そして、該間隔部（２）と両端の該螺子部（４）（４）には、その全外周面に腐蝕を防止するための防錆剤としてシリコン系樹脂塗料をスプレー塗装、どぶ漬け塗装またはカチオン電着塗装を施すことによって、シリコン系樹脂の被覆層（３）（３）を各々自由な厚さに被覆してある。
また、保持杆本体（１）は、両端の螺子部（４）（４）から表面全体、及び該螺子部（４）（４）からかぶり厚とされる寸法までの表面を塗装コートしたものである。また、シリコン系一液性無機ジンクリッチ塗料で塗装したものである。
更に、符号（５）は、該間隔部（２）と該螺子部（４）（４）との間に設けた仕切溝を示し、（７）は、各種のキャップを示したものである。また（６）は、コンクリート（９）内に埋設されている鉄筋を示したものである。
図３に示すものは、コンクリート型枠を外したコンクリート（９）の内部で鉄筋（６）の間を貫通した状態の保持杆本体（１）を示し、その両端に各種形状のキャップ（７）（７）を嵌着した状態を示したものである。
【符号の説明】
【００１０】１            保持杆本体
２            間隔部
３            被覆層
４            螺子部
５            仕切溝
６            鉄筋
７            キャップ
９            コンクリート
【図１】
0003155622.tif 000003
【図２】
0003155622.tif 000004
【図３】
0003155622.tif 000005
(57)【要約】      （修正有）【課題】衣服などを掛けない未使用のハンガーを重ねて整理して収容できる省スペース型ハンガーを提供する。【解決手段】ハンガーを吊るすための引っ掛け部１、収容孔、ネクタイ・スカーフ掛け部からハンガー本体とフック２からなり、引っ掛け部１に別のハンガーのフック２を引っ掛けることにより複数のハンガーを多段に吊り下げできるようにして、ハンガーを構成する。さらに、引っ掛け部１の裏側の対向するハンガー本体の位置に、引っ掛け部１を挿入できる収容孔を設け、その収容孔の形状を、ハンガーの引っ掛け部１を収容孔に嵌められるようにすることにより、複数のハンガーを重ね合わせて効率よく収容できる省スペース型ハンガーを形成する。【選択図】図２
0003155650.tif 000002
【実用新案登録請求の範囲】
【請求項１】
ハンガーを吊るすための引っ掛け部１、収容孔３、ネクタイ・スカーフ掛け部４からハンガー本体５とフック２からなり、引っ掛け部１に別のハンガーのフック２を引っ掛けることにより複数のハンガーを多段に吊り下げできるハンガーであって、
引っ掛け部１の裏側の対向するハンガー本体５の位置に、引っ掛け部１を挿入できる収容孔３を設け、その収容孔３の形状を、ハンガーの引っ掛け部１を収容孔３に嵌められるようにすることにより、複数のハンガーを重ね合わせて効率よく収容できることを特徴とする省スペース型ハンガー。
【考案の詳細な説明】
【技術分野】
【０００１】
本考案はハンガーの連結と重ねる事で省スペース収納が出来る、衣服を掛けるためのハンガーに関する。
【背景技術】
【０００２】
衣服を掛けるためのハンガーにフックを設けて、複数のハンガーを多段に吊り下げ、さらに、ズボンなどの衣服を挟持するためクリップを付加したハンガーが提案されている（特許文献１）。
【先行技術文献】
【特許文献】
【０００３】
【特許文献１】特許公開２００４−２４８９５３公報
【考案の概要】
【考案が解決しようとする課題】
【０００４】
従来のハンガーに次の課題がある。
１）衣服などを掛けない未使用のハンガーを重ねて整理して収容する機能がないため、ハンガーを乱雑に収容するしかなく、収容スペースを取り不便である。
２）多段に複数吊り下げるハンガーでは、ハンガーに別のハンガーを吊り下げるためのフックがあるが、このフックがあるため、ハンガーどうしを重ねあわせて収容できない。
【課題を解決するための手段】
【０００５】
ハンガーを吊るすための引っ掛け部１と、引っ掛け部１の裏側の対向するハンガー本体５の位置に、引っ掛け部１を挿入できる収容孔３を設け、その収容孔３の形状を、ハンガーの引っ掛け部１を収容孔３に嵌められるようにすることにより、複数のハンガーを重ね合わせて効率よく収容できる構成としている。
【考案の効果】
【０００６】
複数のハンガーを、使わない時は引っ掛け部１と別のハンガーの収容孔３を、相互に嵌めて重ねあわせて省スペースで収納できる。
【図面の簡単な説明】
【０００７】
【図１】ハンガー単体の構成図
【図２】ハンガーに服などを連結して掛ける使用例
【図３】複数ハンガーの収納例
【考案を実施するための形態】
【０００８】
本考案の実施例を図１〜図３で説明する。
ハンガーは、図１に示すように、ハンガー本体５、フック２からなり、ハンガー本体５は、ハンガーを吊るすための引っ掛け部１、収容孔３、ネクタイ・スカーフ掛け部４からなる。
このハンガーは、図２に示すように、引っ掛け部１に別のハンガーのフック２を引っ掛けることにより複数のハンガーを多段に吊り下げできる。
ハンガー本体５には、図１の拡大図に示すように、そのハンガー本体５の引っ掛け部１の裏側の対向するハンガー本体５の位置に、引っ掛け部１を挿入できる収容孔３を設け、その収容孔３の形状を、ハンガーの引っ掛け部１を収容孔３に嵌められるようにすることにより、複数のハンガーを重ね合わせて効率よく収容できる構成としている。
例えば、図３に示すように、２つのハンガーを、図３に示すように、重ね合わせるとき、引っ掛け部１の形状は、図３において、重ねるハンガー(図３の右側)の引っ掛け部１が、重ねられる左側のハンガー５(図３の左側)の収容孔３に、左側のハンガーの引っ掛け部１に当たることなく嵌まる構成としている。これにより複数のハンガーを重ねてスペースをとることなく効率よく収容できる。
【産業上の利用可能性】
【０００９】
省スペース収納が出来る、衣服を掛けるためのハンガーを提供する。
【符号の説明】
【００１０】
１  引っ掛け部
２  フック
３  収容孔
４  ネクタイ・スカーフ掛け部
５  ハンガー本体
【図１】
0003155650.tif 000003
【図２】
0003155650.tif 000004
【図３】
0003155650.tif 000005